(57)【要約】【課題】電飾装置を合板裏面からビス止めする際に合板裏面に形成されるビスの螺着穴周辺に突出形成されるバリによって電飾装置の固定位置が後方へずれることを防止することができる装飾部品、遊技盤ユニット、及びパチンコ遊技機を提供する。【解決手段】遊技盤を構成する基板２５に形成した開口部２６内に挿着された状態で該基板裏面に対してビス固定される装飾部品３０であって、装飾部品は、ビス２７を裏面側から差し込むためのビス穴３４を有した薄肉部３３を備え、該ビス穴の前面側周縁には薄肉部前面よりも所要深さだけ引っ込んだ環状凹所３５が形成されている。【選択図】図５
2008093302.tif 000002
【特許請求の範囲】
【請求項１】
遊技盤を構成する基板に形成した開口部内に挿着された状態で該基板裏面に対してビス固定される装飾部品であって、
前記装飾部品は、前記ビスを裏面側から差し込むためのビス穴を有した薄肉部を備え、該ビス穴の前面側周縁には前記薄肉部前面よりも所要深さだけ引っ込んだ環状凹所が形成されていることを特徴とする装飾部品。
【請求項２】
基板と、該基板に形成した開口部と、該基板表面に添設固定されるセルシートと、を備えた遊技盤と、
前記開口部内に埋設された状態で該基板裏面に対してビス固定される請求項１に記載の装飾部品と、を備えたことを特徴とする遊技盤ユニット。
【請求項３】
前記装飾部品は、電飾装置であることを特徴とする請求項２に記載の遊技盤ユニット。
【請求項４】
請求項３に記載の遊技盤ユニットを備えたことを特徴とするパチンコ遊技機。
【発明の詳細な説明】
【技術分野】
【０００１】
本発明は、遊技盤を構成する基板面に形成した開口部内に装飾部品を埋設してビス止めする際に、ビスを基板に螺着する際に基板側の螺着穴周縁に発生したバリが装飾部品と基板との間に介在して装飾部品を浮かせる不具合を解消することができる装飾部品、遊技盤ユニット、及びパチコン遊技機に関する。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面上、その他任意の部位にＬＥＤランプやフィラメント式ランプ等の発光装置を配置している。
この種のパチンコ遊技機として、例えば遊技盤の遊技領域に形成した開口部内に、複数の発光素子を前面に搭載したプリント基板を配置するとともに、開口部の前面を閉止するように盤面に透光性のカバー部材を取り付けたり、透光性を有するセルシートを貼付した電飾部を備えたものがある。これによれば、電飾部が遊技盤面より突出せず同一平面となっているため、電飾部によって遊技領域を流下する遊技球の正常な動作が妨げられる虞がなく、また電飾部が遊技盤面に対して突出している従来タイプと比較して遊技球が流下、或いは転動するスペースを広く確保することができるため、限られた遊技領域を有効に活用することができる。
特許文献１乃至３には、夫々半透明セルシートによって盤面（ベニヤ板面）に貫通形成した透光穴を閉止すると共に、この透光穴の内部に配置したＬＥＤ等の光源からの光によってセルシートに形成した所要の電飾図柄を発光させるようにした遊技機が開示されている。
【０００３】
図７（ａ）（ｂ）はこの種の電飾装置を遊技盤に固定した状態を示す断面図である。電飾装置１００は、遊技盤を構成する合板（基板）１１０に貫通形成した開口部１１１内に埋設された状態で合板の裏面に対してビス１１５を用いて螺着固定される。基板１１０の前面には開口部１１１を塞ぐようにセルシート１２０が貼着されている。ビス１１５を取り付けるために１００の周縁部には薄肉部１０１が張出し形成され、この薄肉部１０１にはビス穴１０２が形成されている。開口部１１１の周縁部には薄肉部１０１を埋め込み支持するための浅堀り部１１２が形成されている。
開口部１１１内に電飾装置１１０を固定した際に電飾装置の前面が合板１１０の前面から突出していると、セルシート１２０を前方へ突出させて遊技球の動作に影響を与えるため、電飾装置１１０の前面は所要寸法だけ合板前面よりも後方に退避させる必要がある。
【０００４】
一方、遊技盤の開口部内に固定された電飾装置１１０の裏面が合板１１０の裏面よりも僅かでも突出している場合には、パチンコ遊技機の製造工程において多数の遊技盤を積層した状態で保管したり移送する際に、裏面側に積層された他の遊技盤のセルシートが前面側に位置する遊技盤裏面から突出した電飾装置の裏面部分によって損傷を受ける虞がある。
図７（ａ）に示したように電飾装置１１０の裏面側が合板の裏面よりも前方に退避している場合にはこのような不具合は発生しない。
【０００５】
一方、ビス１１５を木製の合板１１０の裏面に螺着する際には、（ｂ）に示すように合板裏面に形成される螺着穴の周縁部に多数のバリ１１３が突出して形成される。浅堀り部１１２の面上に僅かであってもバリ１１３が形成されると、バリと薄肉部の平坦な前面（ビス穴周縁の平坦面）が当接するため、バリの厚さ分だけ電飾装置１１０が合板裏面から後方へ突出し易くなる。
合板の厚さ（例えば、１８ｍｍ）に対する電飾装置の厚さの寸法精度を厳しく管理することによって、図７（ａ）に示した如き理想的な組付け状態を実現できるように構成されているため、０．１〜０．２ｍｍ程度の突出長を有したバリ１１３が浅堀り部１１２の面上に形成されることにより電飾装置１１０の裏面が合板裏面から突出し易くなる。
特に、浅掘り部１１２は木工用工作機を用いて形成するため、深さ方向の加工精度には０．５ｍｍ程度の誤差が生じる。従って、バリ１１３が存在することによって電飾装置の裏面が合板裏面から突出する可能性は更に高くなる。
【０００６】
このようにバリ１１３に起因して電飾装置の裏面が合板裏面から突出した状態にある遊技盤ユニットＵを、図７（ｂ）のように多枚数積層して保管すると、突出した電飾装置裏面と接する他の遊技盤ユニットＵの前面に貼着したセルシート１２０に対して修復不能な程度の傷等の損傷が形成される。セルシート１２０にダメージを受けた遊技盤ユニットは不良品となり使用不能となる。
【特許文献１】実開平２−３９７８３号公報
【特許文献２】特開２００４−２０９０３９公報
【特許文献３】特開２００５−１５２１７９公報
【発明の開示】
【発明が解決しようとする課題】
【０００７】
本発明は上記に鑑みてなされたものであり、遊技盤面上における遊技状態の変化等の状況変化を視覚的に表現、報知したり、遊技進行上での電飾効果を図るために、遊技盤を構成する合板に貫通形成した開口部内に電飾装置を配置すると共に、この開口部を塞ぐセルシートを介して電飾装置からの光を前方へ投光させるようにしたパチンコ遊技機において、電飾装置を合板裏面からビス止めする際に合板裏面に形成されるビスの螺着穴周辺に突出形成されるバリによって電飾装置の固定位置が後方へずれることを防止することができる装飾部品、遊技盤ユニット、及びパチンコ遊技機を提供することを目的としている。
【課題を解決するための手段】
【０００８】
上記目的を達成するため、請求項１の発明に係る装飾部品は、遊技盤を構成する基板に形成した開口部内に挿着された状態で該基板裏面に対してビス固定される装飾部品であって、前記装飾部品は、前記ビスを裏面側から差し込むためのビス穴を有した薄肉部を備え、該ビス穴の前面側周縁には前記薄肉部前面よりも所要深さだけ引っ込んだ環状凹所が形成されていることを特徴とする。
ビス穴から挿入したビスが基板裏面に螺着される際に螺着穴周辺の基板裏面には微小なバリが突出形成される。このバリが存在することによって基板裏面と電飾装置との密着度が低下し、電飾装置が規定位置よりも後方へ突出し易くなる。電飾装置の裏面が基板よりも突出することによって、この遊技盤ユニットの裏面側に積層される他の遊技盤ユニット前面に配置されたセルシートにダメージを与えて不良品率を増大させる虞がある。そこで、本発明ではビス穴を形成した電飾装置の一部（薄肉部）の前面にネジ穴を包囲するように環状凹所を設けて螺着時に発生したバリを受け入れるようにした。
【０００９】
請求項２の発明に係る遊技盤ユニットは、基板と、該基板に形成した開口部と、該基板表面に添設固定されるセルシートと、を備えた遊技盤と、前記開口部内に埋設された状態で該基板裏面に対してビス固定される請求項１に記載の装飾部品と、を備えたことを特徴とする。
請求項３の発明に係る遊技盤ユニットは、請求項２において、前記装飾部品は、電飾装置であることを特徴とする。
請求項４の発明に係るパチンコ遊技機は、請求項３に記載の遊技盤ユニットを備えたことを特徴とする。
【発明の効果】
【００１０】
本発明によれば、ビス穴を形成した電飾装置の一部（薄肉部）の前面にネジ穴を包囲するように環状凹所を設けて螺着時に発生したバリを受け入れるようにしたので、電飾装置を合板裏面からビス止めする際に合板裏面に形成されるビスの螺着穴周辺に突出形成されるバリによって電飾装置の固定位置が後方へずれることを防止することができる。
【発明を実施するための最良の形態】
【００１１】
以下、本発明を図面に示した実施の形態により詳細に説明する。
図１は本発明の一実施形態に係るパチンコ遊技機の全体正面図であり、図２は遊技盤の拡大図である。
このパチンコ遊技機は、矩形形状の枠Ｆを備え、この枠Ｆに遊技盤１が取り付けられている。
遊技盤１を構成する遊技領域１ａの前面中央には特定の条件を満たしたときに動作する可変入賞装置２が設けられている。即ち、可変入賞装置２は大入賞口として機能しており、この大入賞口に遊技球が入賞したり、入賞してから一定条件が整うことにより、遊技者にとって有利な遊技状態が発生する。
【００１２】
可変入賞装置２の下方には始動入賞口３と、普通電動役物（中央始動口）４が配置され、普通電動役物４の直上位置にはゲート４ａが配置されていると共に、可変入賞装置２の左右両側には夫々普通入賞口５が設けられている。始動入賞口３に遊技球が入ることによりディスプレイ１１上の図柄変動を行い、当該図柄が特定の図柄（大当たり図柄、或いは小当り図柄）にて停止することにより羽根部材２０Ｌ、２０Ｒが開成制御され、この時に大入賞口内に設けられた特定領域１２に入賞することにより大当たり状態となる。
なお、枠Ｆの一側端縁には、遊技盤１の前面を覆うガラス板を備えた図示しないガラス扉枠が開閉自在に軸支されている。
【００１３】
遊技盤１の下方には、遊技盤１に対して遊技球を発射する発射装置に遊技球を供給する発射球供給皿６、発射球供給皿６から溢れた遊技球を貯留する下皿７、打球発射用ハンドル８、遊技者に音声／効果音を発するスピーカ９等が設けられている。
この遊技盤１は、各種盤面部品を搭載する板部材であり、遊技盤の裏面には、液晶画面、主制御基板とサブ制御基板等、遊技の進行、演出に関わる裏部品を組み付けた合成樹脂製の機構板（何れも図示せず）が開閉自在に装着されている。
遊技盤１における遊技領域１ａの周囲には、打球発射用ハンドル８から発射された遊技球を遊技領域１ａの上部に案内したり、図示しないアウト球回収口に案内する遊技球ガイドレールとしての外レールＲ１、及び内レールＲ２が設けられている。
また、遊技領域１ａの上部中央に貼付されたセルシートの裏側には図２に破線で示した如き電飾装置（装飾部品）３０が埋設されており、電飾装置３０前面に印刷形成された文字である「ＢＡＴＴＬＥ」が、電飾装置内部に配置されたＬＥＤが点灯することにより発光し、セルシートを透過して視認できるように構成されている。
【００１４】
図３（ａ）及び（ｂ）はこの電飾装置の正面図、及び背面図であり、図４（ａ）及び（ｂ）は図３（ａ）中におけるＡ−Ａ断面図、及びＢ−Ｂ断面図である。更に、図５は電飾装置を斜め前方から見た分解斜視図であり、図６はビス穴部の拡大断面図である。
電飾装置３０は、遊技盤１を構成する合板（基板）２５に形成した開口部２６内に裏面側から埋め込まれた後で、合板２５の裏面との間をビス２７により螺着固定される。
開口部２６は、合板を貫通した貫通穴２６ａと、貫通穴２６ａの周縁部に形成された浅掘り部２６ｂと、を有している。
装飾部品としての電飾装置３０は、内側が貫通した枠体部３２、及び枠体部３２の外周縁から一体的に張り出した薄肉部３３を有した中空のベース部材３１と、ベース部材３１の前面側に配置される前面板４０と、ベース部材３１の裏面側から枠体部３２内に挿着されるプリント基板４５と、枠体部３２の裏面側に添設されて固定される裏面蓋部材５０と、を有している。
【００１５】
ベース部材３１の薄肉部３３にはビス２７を裏面側から差し込むためのビス穴３４が複数箇所形成されており、各ビス穴３４の前面側の周縁には薄肉部３３の前面よりも所要深さｄだけ引っ込んだ環状凹所３５が形成されている。環状凹所３５はビス穴３４の前面側開口と同心円状で且つ大径であり、その深さｄはビス穴３４から合板の浅掘り部２６ｂにビス２７を打ち込んだときに浅掘り部２６ｂの板面に形成されるバリを受け入れることができる程度に設定する。環状凹所３５内にバリが受け入れられることにより、バリが薄肉部３３を後方へ押し出して電飾装置３０の裏面が合板裏面よりも後方へ突出する事態の発生を防止できる。
環状凹所３５を前方から見た場合の形状は円形であってもよいし、多角形状であってもよい。
【００１６】
前面板４０は透光性を有した樹脂製薄板から構成され、その前面には任意の文字、図柄を印刷等によって形成する。
プリント基板４５の前面には図示しないＬＥＤが配置されており、プリント基板４５から延びる図示しないリード線は裏蓋部材５０に設けた引出し穴５１から外部へ導出される。
プリント基板４５上のＬＥＤを発光させることによって、透光材料である前面板４０に形成された文字、絵柄等を発光させることができる。この電飾装置３０を開口部２６内に固定した状態で開口部２６の前面はセルシートによって閉止されるため、ＬＥＤの消灯時には前面板４０に形成された文字等を前方から視認することはできないが、ＬＥＤの発光時にはセルシートを介して前方から文字等を視認することができる。
【００１７】
本発明においては、ベース部材３１に設けられた薄肉部３３のビス穴３４の前面側周縁に合板にビスを螺着した際に発生するバリを受け入れるための環状凹所３５を形成したので、バリの突出量に見合う分だけの深さｄを有した環状凹所内にバリを受け入れることができる。このため、バリの存在に起因して薄肉部前面が合板裏面（浅掘り部面）に密着できないことにより、電飾装置の裏面が合板裏面から突出することがなくなる。
この結果、遊技盤の加工工程において、電飾装置３０を組み付けた状態にある遊技盤１（遊技盤ユニット）を多数枚重ねて保管したり、移送したとしても、上側に積層された遊技盤ユニットの前面に貼着されたセルシートが下方に位置する遊技盤ユニットの裏面から突出した電飾装置によって部分的に損傷を受けて不良品となる虞が少なくなる。
【００１８】
なお、上記実施形態では合板（基板）に設けた開口部内に嵌合配置されてビス止めされる装飾部品として電飾装置を例示したが、本発明のビス穴構造を適用することができる装飾部品は電飾装置に限らず、ビス止め可能なあらゆるタイプの装飾部品に適用することができる。
【図面の簡単な説明】
【００１９】
【図１】本発明の一実施形態に係るパチンコ遊技機の全体正面図である。
【図２】本発明の遊技盤の拡大図である。
【図３】（ａ）及び（ｂ）は本発明の一実施形態に係る電飾装置の正面図、及び背面図である。
【図４】（ａ）及び（ｂ）は図３（ａ）中におけるＡ−Ａ断面図、及びＢ−Ｂ断面図である。
【図５】電飾装置を斜め前方から見た分解斜視図である。
【図６】ビス穴部の拡大断面図である。
【図７】（ａ）及び（ｂ）は従来例に係る電飾装置の組付け部の構成を示す断面図である。
【符号の説明】
【００２０】
１…遊技盤、１ａ…遊技領域、２…可変入賞装置、３…始動入賞口、４…普通電動役物、４ａ…ゲート、５…普通入賞口、６…発射球供給皿、７…下皿、８…打球発射用ハンドル、９…スピーカ、１１…ディスプレイ、１２…特定領域、２０…羽根部材、２５…合板（基板）、２６…開口部、２６ａ…貫通穴、２６ｂ…浅掘り部、２７…ビス、３０…電飾装置、３１…ベース部材、３２…枠体部、３３…薄肉部、３４…ビス穴、３５…環状凹所、４０…前面板、４５…プリント基板、５０…裏蓋部材、５０…裏面蓋部材、５１…穴。
【図１】
2008093302.tif 000003
【図２】
2008093302.tif 000004
【図３】
2008093302.tif 000005
【図４】
2008093302.tif 000006
【図５】
2008093302.tif 000007
【図６】
2008093302.tif 000008
【図７】
2008093302.tif 000009